(57)【要約】【課題】  旅行や出張の際に必要なアクセサリを確実に携帯することを可能にする電子機器アクセサリ管理バッグを提供する。【解決手段】  本考案によれば、電子機器を収容するメインバッグと、前記電子機器と共に使用される電子機器アクセサリを収容するアクセサリ収容バッグとを備え、前記メインバッグと前記アクセサリ収容バッグは、それぞれに設けられた連結部において互いに着脱可能に構成されている電子機器アクセサリ管理バッグが提供される。【選択図】図１
0003160264.tif 000002
【実用新案登録請求の範囲】
【請求項１】
電子機器を収容するメインバッグと、前記電子機器と共に使用される電子機器アクセサリを収容するアクセサリ収容バッグとを備え、前記メインバッグと前記アクセサリ収容バッグは、それぞれに設けられた連結部において互いに着脱可能に構成されている電子機器アクセサリ管理バッグ。
【請求項２】
前記連結部は、線ファスナー又は面ファスナーで構成されている請求項１に記載のバッグ。
【請求項３】
前記アクセサリ収容バッグは、前記メインバッグの長手方向に沿った位置で前記メインバッグに連結される請求項１又は２に記載のバッグ。
【請求項４】
前記アクセサリ収容バッグは、前記メインバッグの主面の垂線方向に沿った位置で前記メインバッグに連結される請求項１又は２に記載のバッグ。
【請求項５】
前記メインバッグは、前記メインバッグを持ち上げるための取っ手を備え、前記取っ手は、前記メインバッグの長手方向の中央からずれた位置であって、かつ前記アクセサリ収容バッグが連結された際にバッグ全体の長手方向の中央となる位置に配置されている請求項３に記載のバッグ。
【請求項６】
前記メインバッグに設けられた図柄の第１部分と、前記アクセサリ収容バッグに設けられた前記図柄の第２部分とをさらに備え、前記第１部分と前記第２部分は、前記メインバッグと前記アクセサリ収容バッグが連結されたときに一つの図柄を形成するように構成されている請求項１〜５の何れか１つに記載のバッグ。
【請求項７】
前記アクセサリ収容バッグは、複数の電子機器アクセサリを収容するように構成されている請求項１〜６の何れか１つに記載のバッグ。
【考案の詳細な説明】
【技術分野】
【０００１】
本考案は、ノートパソコンなどの電子機器と共に使用される種々の電子機器アクセサリの管理に適した電子機器アクセサリ管理バッグに関する。
【背景技術】
【０００２】
ノートパソコンなどの電子機器は、バッグに入れて色々な場所に持ち運んで使用されるのが一般的である。このような電子機器のアクセサリとしては、電子機器に電力を供給するための電源コード、電子機器をネットワークに接続するためのネットワークケーブル、ＣＤやＤＶＤを読み書きするためのマルチドライブの本体、マルチドライブと電子機器を接続するためのケーブル、マルチドライブを駆動するための電源ケーブル、マルチドライブで使用されるメディア、音声を録音するための小型のマイク、音声を外部出力するためのスピーカ、予備の電池など種々のものが考えられる。
【０００３】
このような種々のアクセサリを電子機器と一緒に持ち歩くと、持ち運びに不便であるので、普段は電子機器本体のみを持ち運び、出張や旅行の際にのみ種々のアクセサリを電子機器本体と共に持ち運ぶという使い方が一般的である。このような使い方においては、普段使用しているバッグに電子機器を収容すると共に必要なアクセサリを収容するのが一般的である。
【考案の概要】
【考案が解決しようとする課題】
【０００４】
上記のような使用法においては、普段はバラバラに保管している種々のアクセサリを出張や旅行の直前になって慌ててバッグに収容するので、必要なアクセサリをバッグに入れ忘れてしまう場合があるという問題が頻発する。例えば、マルチドライブ本体とその電源ケーブルをバッグに入れたが、マルチドライブと電子機器とを接続するケーブルをバッグに入れ忘れて、結局、マルチドライブが使用できないというような問題である。
【０００５】
本考案はこのような事情に鑑みてなされたものであり、旅行や出張の際に必要なアクセサリを確実に携帯することを可能にする電子機器アクセサリ管理バッグを提供するものである。
【課題を解決するための手段】
【０００６】
本考案によれば、電子機器を収容するメインバッグと、前記電子機器と共に使用される電子機器アクセサリを収容するアクセサリ収容バッグとを備え、前記メインバッグと前記アクセサリ収容バッグは、それぞれに設けられた連結部において互いに着脱可能に構成されている電子機器アクセサリ管理バッグが提供される。
【０００７】
本考案では、アクセサリをアクセサリ収容バッグがメインバッグとは別に設けられており、このアクセサリ収容バッグは、メインバッグから着脱可能に構成されている。このため、普段は使用しないアクセサリをアクセサリ収容バッグにまとめて保管しておき、旅行や出張でアクセサリが必要になったときはアクセサリ収容バッグとメインバッグとを連結して一つのバッグとして使用するという使い方が可能になる。
【０００８】
本考案のポイントは、単に２つのバッグを着脱可能にしたことではなく、２つのバッグのうちの一方を電子機器の収容に使用し、他方を電子機器アクセサリの収容するようにしたことである。このような観点から、本考案の電子機器アクセサリ管理バッグは、単なる、着脱可能な複数のサブバッグからなるバッグからは明確に区別される。なぜならこのようなバッグは、種々の用途に使用されることが想定されており、複数のサブバッグの一つを電子機器アクセサリ用に使用することが想定されていないので、このようなバッグを用いても旅行や出張の際に必要なアクセサリを確実に携帯することを可能にするという本考案の課題を解決することができないからである。
【図面の簡単な説明】
【０００９】
【図１】本考案の第１実施形態の電子機器アクセサリ管理バッグの外観を示す斜視図であり、メインバッグとアクセサリ収容バッグとが互いに分離された状態を示す。
【図２】本考案の第１実施形態の電子機器アクセサリ管理バッグの外観を示す斜視図であり、メインバッグとアクセサリ収容バッグとが互いに連結された状態を示す。
【図３】本考案の第２実施形態の電子機器アクセサリ管理バッグの外観を示す斜視図であり、メインバッグとアクセサリ収容バッグとが互いに分離された状態を示す。
【図４】本考案の第２実施形態の電子機器アクセサリ管理バッグの外観を示す斜視図であり、メインバッグとアクセサリ収容バッグとが互いに連結された状態を示す。
【図５】本考案の第３実施形態の電子機器アクセサリ管理バッグの外観を示す斜視図であり、メインバッグとアクセサリ収容バッグとが互いに分離された状態を示す。
【図６】本考案の第３実施形態の電子機器アクセサリ管理バッグの外観を示す斜視図であり、メインバッグとアクセサリ収容バッグとが互いに連結された状態を示す。
【図７】本考案の第４実施形態の電子機器アクセサリ管理バッグの外観を示す斜視図であり、メインバッグとアクセサリ収容バッグとが互いに分離された状態を示す。
【図８】本考案の第４実施形態の電子機器アクセサリ管理バッグの外観を示す斜視図であり、メインバッグとアクセサリ収容バッグとが互いに連結された状態を示す。
【符号の説明】
【００１０】
１：電子機器アクセサリ管理バッグ
３：電子機器
５：メインバッグ
５ａ，９ａ：連結部
５ｂ，９ｂ：開口部
７：電子機器アクセサリ
９：アクセサリ収容バッグ
１１：取っ手
１３：図柄
１３ａ：図柄の第１部分
１３ｂ：図柄の第２部分
１５：メインバッグの主面
X：メインバッグの長手方向
Y：垂線方向
【考案を実施するための形態】
【００１１】
以下、図面を用いて、本考案の種々の実施形態について説明する。以下に示す実施形態は、例示であって、本考案は以下の実施形態には限定されない。
【００１２】
１．第１実施形態
以下、図１〜図２を用いて、本考案の第１実施形態の電子機器アクセサリ管理バッグについて説明する。図１〜図２は、本実施形態の電子機器アクセサリ管理バッグの外観を示す斜視図であり、図１は、メインバッグ５とアクセサリ収容バッグ９とが互いに分離された状態を示し、図２は、これらが互いに連結された状態を示す。
【００１３】
図１〜図２に示すように、本実施形態の電子機器アクセサリ管理バッグ１は、電子機器３を収容するメインバッグ５と、電子機器３と共に使用される電子機器アクセサリ７を収容するアクセサリ収容バッグ９とを備える。
【００１４】
メインバッグ５とアクセサリ収容バッグ９は、それぞれに設けられた連結部５ａ，９ａにおいて、互いに着脱可能に構成されている。連結部５ａ，９ａとしては、メインバッグ５とアクセサリ収容バッグ９を連結させることができるものであれば、その種類は特に限定されない。メインバッグ５とアクセサリ収容バッグ９を容易に着脱可能にするという観点からは、連結部５ａ，９ａは、線ファスナー又は面ファスナーで構成することが好ましい。線ファスナーとは、一般に、単にファスナーと称されるものであり、把持部を直線的に移動させることによって２つの物体を互いに着脱させることができる。面ファスナーとは、一般に、マジックテープ（登録商標）やベルクロテープ（登録商標）と称されるものであり、一例では、多数の小フックが設けられた一方の面と多数の小ループが設けられた他方の面とを有するものである。これらの面を互いに押圧したり、引き剥がしたりすることにとによって、２つの物体を互いに着脱させることができる。本実施形態では、アクセサリ収容バッグ９は、メインバッグ５の長手方向Xに沿った位置でメインバッグ５に連結されている。
【００１５】
メインバッグ５とアクセサリ収容バッグ９には、それぞれ、開口部５ｂ，９ｂが設けられている。電子機器３は、メインバッグ５に設けられた開口部５ｂを介してメインバッグ５内に収容される。また、種々の電子機器アクセサリ７は、開口部９ｂを介してアクセサリ収容バッグ９内に収容される。開口部５ｂ，９ｂには、開口部を開閉可能にする開閉部が設けられている。開閉部は、例えば、線ファスナー又は面ファスナーで構成される。
【００１６】
アクセサリ収容バッグ９に収容される電子機器アクセサリ７は、電子機器３と共に使用されるものであるが、必要でないときもある。電子機器アクセサリ７が必要でないときは、図１に示すように、メインバッグ５とアクセサリ収容バッグ９と分離して、メインバッグ５に電子機器３を収容して、メインバッグ５を持ち運ぶことによって、必要でない電子機器アクセサリ７を常に携帯するという煩わしさから解放される。
【００１７】
また、普段使用しない電子機器アクセサリ７は、アクセサリ収容バッグ９にまとめて収容しておく。そして、出張などで電子機器アクセサリ７を携帯することが必要になった場合には、図２に示すように、メインバッグ５とアクセサリ収容バッグ９とを連結して、１つのバッグとして携帯する。
従来は、出張などに行く前に必要な電子機器アクセサリ７をバッグに詰めていたが、この場合、特に、電子機器アクセサリ７の数が多い場合には、必要なものを家に置き忘れてしまうことある。しかし、本実施形態の電子機器アクセサリ管理バッグ１を用いれば、メインバッグ５とアクセサリ収容バッグ９とを単に連結するだけで必要な電子機器アクセサリ７を携帯することができるので、必要な電子機器アクセサリ７を家に置き忘れるというトラブルを避けることができる。
【００１８】
また、人によっては、必要な電子機器アクセサリ７を予め１つのバッグにまとめておいて、出張などの際にはそのバッグを携帯することによって、上記トラブルを避けていたが、その場合、電子機器アクセサリ７を収容したバッグ自体を家に置き忘れるという最悪の自体を招く場合がある。本実施形態によれば、メインバッグ５とアクセサリ収容バッグ９に連結部５ａ，９ａが設けられているので、アクセサリ収容バッグ９をメインバッグ５に連結するという意識が働きやすく、電子機器アクセサリ７を収容したバッグ自体を家に置き忘れるというトラブルを避けることができる。
さらに、電子機器アクセサリ７を収容したバッグと電子機器３を収容したバッグとが連結されていない場合、電子機器３を収容したバッグを手提げのブリーフケースに収容して、電子機器アクセサリ７を収容したバッグをスーツケースに収容するというように、別々の場所に収容してしまう場合がある。このような場合、電子機器アクセサリ７が必要となったときに取り出すのに時間がかかってしまうという問題や、電子機器アクセサリ７を持ってきたかどうか不安になってスーツケースを開けて確認する作業が発生するという問題が生じる。本実施形態によれば、メインバッグ５とアクセサリ収容バッグ９とが互いに連結されているので、上記の何れの問題も避けることができる。
【００１９】
２．第２実施形態
以下、図３〜図４を用いて、本考案の第２実施形態の電子機器アクセサリ管理バッグについて説明する。図３〜図４は、本実施形態の電子機器アクセサリ管理バッグの外観を示す斜視図であり、図３は、メインバッグ５とアクセサリ収容バッグ９とが互いに分離された状態を示し、図４は、これらが互いに連結された状態を示す。
【００２０】
本実施形態の電子機器アクセサリ管理バッグ１は、第１実施形態に類似しており、メインバッグ５に取っ手１１が設けられている点において異なっている。図３に示すように、取っ手１１は、メインバッグ５の長手方向Xの中央からずれた位置に配置されている。取っ手１１がこのような位置に配置されているので、取っ手１１を持ってメインバッグ５を持ち上げると、メインバッグ５が傾いてユーザーが違和感を覚えて、アクセサリ収容バッグ９が連結されていないことに気付きやすくなる。
【００２１】
また、取っ手１１は、アクセサリ収容バッグ５が連結された際にバッグ全体の長手方向の中央となる位置に配置されているので、アクセサリ収容バッグ５が連結された状態で取っ手１１を持ってバッグ１を持ち上げるとバッグ１が傾かない。従って、アクセサリ収容バッグ５が連結されている場合とされていない場合とでは、バッグ１を持ち上げたときの感覚が大きく異なり、ユーザーは、アクセサリ収容バッグ９が連結されていないことを容易に知覚することができる。
【００２２】
以上より、本実施形態によれば、アクセサリ収容バッグ９の連結忘れをさらに確実に防ぐことができる。なお、図３〜図４で示した取っ手１１の形状は例示であって、バッグ１を持ち上げることができるものであれば取っ手１１の形状は限定されない。
【００２３】
３．第３実施形態
以下、図５〜図６を用いて、本考案の第３実施形態の電子機器アクセサリ管理バッグについて説明する。図５〜図６は、本実施形態の電子機器アクセサリ管理バッグの外観を示す斜視図であり、図５は、メインバッグ５とアクセサリ収容バッグ９とが互いに分離された状態を示し、図６は、これらが互いに連結された状態を示す。
【００２４】
本実施形態の電子機器アクセサリ管理バッグ１は、第１実施形態に類似しており、図柄１３の第１部分１３ａがメインバッグ５に設けられており、図柄１３の第２部分１３ｂがアクセサリ収容バッグ９に設けられている点において異なっている。
【００２５】
本実施形態によれば、メインバッグ５には図柄１３の一部のみが描かれているので、アクセサリ収容バッグ９を連結せずにメインバッグ５を持ち運んだ場合、不完全な図柄が目に入ることになるので、ユーザーが違和感を覚えて、アクセサリ収容バッグ９が連結されていないことに気付きやすくなる。
【００２６】
第１部分１３ａと第２部分１３ｂは、メインバッグ５とアクセサリ収容バッグ９を連結したときに図柄１３が完成する位置に配置されており、従って、アクセサリ収容バッグ９を連結したときに完成した図柄１３が目に入り、忘れ物が無いことに気付きやすくなる。
【００２７】
以上より、本実施形態によれば、アクセサリ収容バッグ９の連結忘れをさらに確実に防ぐことができる。なお、図５〜図６で示した図柄は例示であって、本実施形態と同様の効果を奏するものであれば、どのような図柄であってもよい。
【００２８】
４．第４実施形態
以下、図７〜図８を用いて、本考案の第３実施形態の電子機器アクセサリ管理バッグについて説明する。図７〜図８は、本実施形態の電子機器アクセサリ管理バッグの外観を示す斜視図であり、図７は、メインバッグ５とアクセサリ収容バッグ９とが互いに分離された状態を示し、図８は、これらが互いに連結された状態を示す。
【００２９】
本実施形態の電子機器アクセサリ管理バッグ１は、互いに着脱可能なメインバッグ５とアクセサリ収容バッグ９を有しているという点において第１実施形態と同じであるが、本実施形態では、アクセサリ収容バッグ９は、メインバッグ５の主面１５の垂線方向Yに沿った位置でメインバッグ５に連結されている。メインバッグ５とアクセサリ収容バッグ９は主面１５を取り囲むように設けられた連結部５ａ，９ａで連結されている。
【００３０】
本実施形態によれば、メインバッグ５とアクセサリ収容バッグ９は主面１５を取り囲むように設けられた連結部５ａ，９ａで連結されているので、メインバッグ５とアクセサリ収容バッグ９の間の空間を新たな収容部として利用することができるという新たな利点が得られる。
【００３１】
ここまで、第１実施形態〜第４実施形態に基づいて説明を行ったが、それぞれの実施形態で説明した内容は、その趣旨に反しない限り、別の実施形態においても適用可能である。
【図１】
0003160264.tif 000003
【図２】
0003160264.tif 000004
【図３】
0003160264.tif 000005
【図４】
0003160264.tif 000006
【図５】
0003160264.tif 000007
【図６】
0003160264.tif 000008
【図７】
0003160264.tif 000009
【図８】
0003160264.tif 000010